(57)【要約】      （修正有）【課題】現存する一般車輛のタイヤホイール部分に、ギヤ、歯車を装着しキャタピラーを活用する事により一般車輛の雪上に於ける運行を容易ならしめ可能にする雪上走行用転用自動車を提供する。【解決手段】現用車輛のタイヤ、ホイール部分にギヤ、歯車を装着しキャタピラー走行を可能にする。自動車の前輪底辺部分に橇を履かせる事により雪上に於ける走行を容易ならしめる。【選択図】図１
0003174950.tif 000002
【実用新案登録請求の範囲】
【請求項１】
雪上走行用転用自動車の考案
現存する一般車輛のタイヤホイール部分に、ギヤ、歯車を装着しキャタピラーを活用する事により一般車輛の雪上に於ける運行を容易ならしめ可能にする案件
【請求項２】
雪上走行用転用自動車の考案の２
是の案件は自動車の前輪底辺部分に橇を履かせる事により雪上に於ける走行を容易ならしめ可能にするものである
【考案の詳細な説明】
【技術分野】
【０００１】自動車製造技術分野並びにキャタピラー等の製造技術分野
【背景技術】
【０００２】自動車等製造技術並びにキャタピラー等の製造技術
【先行技術文献】
【特許文献】
【０００３】
【特許文献１】
【特許文献２】
【非特許文献】
【０００４】
【非特許文献１】
【非特許文献２】
【考案の概要】
現存する自動車等、軽乗用自動車、軽貨物自動車、普通乗用自動車、普通貨物自動車、大型人員運搬車、バス等、大型貨物自動車等々の雪国に於ける降雪期の運行にあっては周知の通り多大なる困窮を来たし甚大なる人的物的経済的損失を被り是が解決解消に日本中の人智の苦しむ処で在るこれを解決、解消する為、雪国に於ける現有車輛等を雪上運行可能なるキャタピラー並びに橇を装着し、雪上仕様に転用する物である
【考案が解決しようとする課題】雪国に於ける一般車輛等の運行不能困窮を解決しもって人的物的経済的甚大なる損失の解消を図る
【課題を解決するための手段】現有車輛等の車輪ホイール部分にギヤ、歯車並びに橇を装着し、キャタピラー走行を容易可能ならしめる
【考案の効果】雪国に於ける冬季降雪中の車輛運行の艱難困窮を解決しもって甚大なる人的物的経済的損失の解消を図る事が出来る
【図面の簡単な説明】現存する一般車輛の車輪ホイール部分にギャ、歯車並びに橇を装着しキャタピラー仕様に拠る走行を可能ならしめる
【図１】雪上走行用転用自動車の解説図
【考案を実施するための形態】
車輛の車輪ホイール部分にギヤ、歯車並びに橇を装着し雪上走行を可能ならしめる為キャタピラー仕様車としての転用を図る
【実施例】現在の我が国内、及びニュース等で知る、世界諸国に於ける、実施例を見た事は無い
【産業上の利用可能性】自動車製造業、キャタピラー等の製造業、ギャ、歯車等の製造業、橇等の製造業、運輸物流業その他販売業等々多方面に亘り産業上の利用可能性は多大なる物が有ると考察出来る
【図１】
0003174950.tif 000003
【図２】
0003174950.tif 000004
【図３】
0003174950.tif 000005
【手続補正書】
【提出日】平成23年4月22日(2011.4.22)
【手続補正１】
【補正対象書類名】実用新案登録請求の範囲
【補正対象項目名】全文
【補正方法】変更
【補正の内容】
【実用新案登録請求の範囲】
【請求項１】
雪上走行用転用自動車  別名キャタピラー装着雪上走行用転用自動車
現存する一般車輛のタイヤホイール部分に、ギヤ、歯車を装着しキャタピラーを活用、並びに橇を併用する事により一般車輛の雪上に於ける走行を容易ならしめ可能にする
【手続補正２】
【補正対象書類名】明細書
【補正対象項目名】全文
【補正方法】変更
【補正の内容】
【考案の詳細な説明】
【技術分野】
【０００１】自動車製造技術分野並びにキャタピラー等の製造技術分野
【背景技術】
【０００２】自動車等製造技術並びにキャタピラー等の製造技術
【先行技術文献】
【特許文献】
【０００３】
【特許文献１】
【特許文献２】
【非特許文献】
【０００４】
【非特許文献１】
【非特許文献２】
【考案の概要】
現存する自動車等、軽乗用自動車、軽貨物自動車、普通乗用自動車、普通貨物自動車、大型人員運搬車、バス等、大型貨物自動車等々の雪国に於ける降雪期の運行にあっては周知の通り多大なる困窮を来たし甚大なる人的物的経済的損失を被り是が解決解消に日本中の人智の苦しむ処で在るこれを解決、解消する為、雪国に於ける現有車輛等を雪上運行可能なるキャタピラー並びに橇を装着し、雪上仕様に転用する物である
【考案が解決しようとする課題】
【０００５】雪国に於ける一般車輛等の運行不能困窮を解決しもって人的物的経済的甚大なる損失の解消を図る
【課題を解決するための手段】
【０００６】現有車輛等の車輪ホイール部分にギヤ、歯車並びに橇を装着し、キャタピラー走行を容易可能ならしめる
【考案の効果】雪国に於ける冬季降雪中の車輛運行の艱難困窮を解決しもって甚大なる人的物的経済的損失の解消を図る事が出来る
【図面の簡単な説明】
【０００７】現存する一般車輛の車輪ホイール部分にギヤ、歯車並びに橇を装着しキャタピラー仕様に拠る走行を可能ならしめる
【図１】雪上走行用転用自動車の解説図、側面図及び正面図
【図２】雪上走行用転用自動車のキャタピラーの結合部分の解説図
【図３】雪上走行用転用自動車の普通自動車に橇とキャタピラーを装着させた側面図及び大型貨物自動車にキャタピラーを装着させた時の側面の解説図
【考案を実施する為の形態】
【０００８】車輛の車輪ホイール部分にギヤ、歯車並びに橇を装着し雪上走行を可能ならしめる為キャタピラー仕様車としての転用を図る
【実施例】
【０００９】現在の我が国内、及びニュース等で知る、世界諸国に於ける、実施例を見た事は無い
【産業上の利用可能性】
【００１０】自動車製造業、キャタピラー等の製造業、ギャ、歯車等の製造業、橇等の製造業、運輸物流業その他販売業等々多方面に亘り産業上の利用可能性は多大なるものがあると考察出来る
【符号の説明】
【００１１】１［図Ｉ］に於ける符号１はキャタピラー取り付け用のギヤ、歯車を表示
２［図Ｉ］に於ける符号２はキャタピラーを表示
３［図Ｉ］に於ける符号３はキャタピラーを表示
４［図Ｉ］に於ける符号４はタイヤホイールを表示
５［図２］に於ける符号１はキャタピラーの結合部を表示
６［図３］に於ける符号１は車輛、普通自動車の前輪に橇を装着した状態を表示
７［図３］に於ける符号２は車輛、普通自動車等の後輪部分にキャタピラーを装着した状態を表示し車種により車輪、ギヤホイールの増減が生じる事を説明
８［図３］の大型車等に於ける符号１は前輪部分のダブルギヤにキャタピラーを装着した状態を表示
９［図３］の符号２は後輪部分の多重輪にギヤ、歯車を装着しキャタピラーを仕様した状態を表示
【手続補正３】
【補正対象書類名】図面
【補正対象項目名】全図
【補正方法】変更
【補正の内容】
【図１】
0003174950.tif 000006
【図２】
0003174950.tif 000007
【図３】
0003174950.tif 000008
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
雪上走行用転用自動車  別名、無限軌道走行装置、装着雪上用転用自動車
現存する一般車両の小型車、普通自動車等にあっては、後輪部分のタイヤホイ−ル部分に歯車を装着し。無限軌道走行装置を装着、前輪部分には橇を用いる事により一般車両の雪上に於ける走行を容易ならしめ可能にする。中型車、大型車等は前輪部分と後輪部分に２分割し。其々に無限軌道走行装置を装着使用する事により。雪上に於ける走行を容易にし可能にする。
【手続補正２】
【補正対象書類名】明細書
【補正対象項目名】全文
【補正方法】変更
【補正の内容】
【考案の詳細な説明】
【技術分野】
【０００１】自動車製造技術分野並びに無限軌道走行装置等の製造技術分野
【背景技術】
【０００２】自動車等製造技術並びに無限軌道走行装置等の製造技術
【先行技術文献】
【特許文献】
【０００３】
【特許文献１】
【特許文献２】
【非特許文献】
【０００４】
【非特許文献１】
【非特許文献２】
【考案の概要】
現存する自動車等、軽乗用自動車、軽貨物自動車、普通乗用自動車、普通貨物自動車大型人員運搬車バス等、大型貨物自動車等々の雪国に於ける降雪期の運行にあっては周知の通り多大なる困窮を来たし。甚大なる人的、物的、経済的、損失を被り是が解消解決に日本中の人智の苦しむ処である。これを解決、解消する為、雪国に於ける現有車輛等を雪上運行、走行、可能なる無限軌道走行装置を装着させ、必要により前輪部分に橇を装着使用し。雪上走行が可能なる雪上仕様に転用する
【考案が解決しようとする課題】
【０００５】雪国に於ける一般車輛等の運行不能困窮を解決し、もって人的、物的、経済的甚大なる損失の解消を図る
【課題を解決するための手段】
【０００６】現有車輛等の車輪のホイール部分に、歯車を装着し。是に無限軌道走行用の装置を装着し、雪上走行を可能ならしめる。小型車、中型車等に有っては前輪の下部、即ちタイヤの下部に橇を履かせ、後輪部分には無限軌道走行装置を装着し雪上走行を可能にする。大型車等にあっては前輪部分と後輪部分に２分割し、其々に無限軌道走行装置を装着し、雪上走行用に転用する。
【考案の効果】雪国に於ける冬季降雪中の車輛運行の艱難困窮を解決し、持って甚大なる人的、物的、経済的損失の解消を図る。
【図面の簡単な説明】
【０００７】
【図１】雪上走行用転用自動車の側面図及び正面図
【図２】雪上走行用転用自動車の無限軌道装置の結合部分の解説図
【図３】雪上走行用転用自動車の普通自動車の前輪下部、即ちタイヤ下部に橇を履かせ、後輪部分に無限軌道走行装置を装着させた場合の側面図、並びに大型貨物自動車を前輪部分と後輪部分に２分割し。其々に無限軌道走行装置を装着させた時の側面図
【考案を実施する為の形態】
【０００８】車輛の車輪のホイール部分に歯車を装着し無限軌道走行装置を使用、小型車、中型車等に有っては前輪部分の車輪下部、即ちタイヤ下部に橇を履かせ、雪上走行が可能になるよう転用を図る。
【実施例】
【０００９】現在の国内、及びニュース等で知り得る世界諸国に於ける実施例を見た事は無い
【産業上の利用可能性】
【００１０】自動車製造業」、無限軌道走行装置の製造業、、歯車等の製造業、橇等の製造業、運輸物流産業、その他の販売業等々の多方面に亘り産業上の利用の可能性は多大なる物が有ると考察出来る
【符号の説明】
【００１１】１
２
３
４
【手続補正３】
【補正対象書類名】図面
【補正対象項目名】全図
【補正方法】変更
【補正の内容】
【図１】
0003174950.tif 000009
【図２】
0003174950.tif 000010
【図３】
0003174950.tif 000011
【手続補正書】
【提出日】平成23年11月21日(2011.11.21)
【手続補正１】
【補正対象書類名】実用新案登録請求の範囲
【補正対象項目名】全文
【補正方法】変更
【補正の内容】
【実用新案登録請求の範囲】
【請求項１】
雪上走行用転用自動車、小型車、普通車
現存する一般車両の小型車、普通自動車等にあっては、前輪部分に橇を履かせ、後輪部分のタイヤホイール部分に歯車を装着し、無限軌道走行装置を装着し、雪上走行用転用自動車仕様に変換する
【請求項２】
雪上走行用転用自動車  中型車、大型車
中型車、大型車等は前輪部分と後輪部分に２分割し、其々に無限軌道走行装置を装着、雪上走行用転用自動車仕様に変換する
【手続補正２】
【補正対象書類名】明細書
【補正対象項目名】全文
【補正方法】変更
【補正の内容】
【考案の詳細な説明】
【技術分野】
【０００１】自動車製造技術分野並びに無限軌道走行装置等の製造技術分野
【背景技術】
【０００２】自動車等製造技術並びに無限軌道走行装置等の製造技術
【先行技術文献】
【特許文献】
【０００３】
【特許文献１】
【特許文献２】
【非特許文献】
【０００４】
【非特許文献１】
【非特許文献２】
【考案の概要】
現存する自動車等、軽乗用自動車、軽貨物自動車、普通乗用自動車、普通貨物自動車、大型人員運搬車、バス等、大型貨物自動車等々の雪国に於ける降雪期の運行にあっては周知の通り多くの人々が多大なる困窮を来たし、甚大なる人的、物的、経済的損失を被り、是が解決解消に、日本中の人智の苦しむ処で有る、これを解決、解消する為、雪国に於ける現有車輛等を雪上運行可能なる無限軌道走行装置並びに橇を装着し、雪上走行仕様に転用する物である
【考案が解決しようとする課題】
【０００５】雪国に於ける一般車輛等の運行不能困窮を解決し、もって人的物的経済的甚大なる損失の解消を図る
【課題を解決するための手段】
【０００６】現有車輛等の小型車や普通車の前輪部分に橇を履かせ。後輪部分のホイール部分に歯車を装着し、無限軌道走行装置を使用する事により雪上走行を可能にする、中型車、大型車等に於いては前輪部分と後輪部分に分割し、其々に無限軌道走行装置を装着し雪上走行仕様に変換する
【考案の効果】雪国に於ける冬季降雪中の車輛運行の艱難困窮を解決し、もって甚大なる人的、物的、経済的損失の解消を図る事が出来る
【図面の簡単な説明】
【０００７】現存する一般車輛の小型車、普通自動車の前輪部分に橇を履かせ、後輪部分のホイール部分に、歯車を装着し、無限軌道走行装置を装着した時の図面中型車、大型車等に有っては前輪部分と後輪部分に２分割し、其々のホイールに歯車を装着し、無限軌道走行装置を装着した時の図面
【図１】雪上走行用転用自動車の側面図及び正面図
【図２】雪上走行用転用自動車の無限軌道走行装置の着脱部分の解説図
【図３】普通自動車に橇と無限軌道走行装置を装着し、雪上走行用転用自動車仕様に変換した時の側面図、及び大型貨物自動車に無限軌道走行措置を装着し雪上走行用転用自動車に変換した時の側面図
【考案を実施する為の形態】
【０００８】小型車や普通自動車に有っては前輪部分に橇を履かせ、後輪のホイール部分に歯車を装着し無限軌道走行措置を使用する  中型車、大型車においては前輪部分と後輪部分に２分割し、其々に無限軌道走行装置を装着する
【実施例】
【００９】現在の我が国内、及びニュース等で知る、世界諸国に於ける、実施例を見た事は無い
【産業上の利用可能性】
【００１０】自動車製造業、無限軌道走行装置等の製造業、歯車等の製造業、橇等の製造業、運輸物流業、其の他販売業等々、多方面に亘り産業上の利用可能性は、多大なるものがあると考察出来る
【符号の説明】
【００１１】１［図Ｉ］に於ける符号１は無限軌道走行装置の取り付け用の歯車を表示
２［図Ｉ］に於ける符号２は無限軌道走行装置を表示
３［図Ｉ］に於ける符号３は無限軌道走行装置を表示
４［図Ｉ］に於ける符号４はタイヤホイールを表示
５［図２］に於ける符号１は無限軌道走行装置の結合部を表示
６［図３］に於ける符号１は普通自動車の前輪に橇を装着した状態を表示
７［図３］に於ける符号２は普通自動車等の後輪部分に無限軌道走行装置を装着した状態を表示し、車種により車輪、ギヤホイールの増減が生じる事を説明
８［図３］の大型車等に於ける符号１は前輪部分の複数の歯車に無限軌道走行装置を装着した状態を表示
９［図３］の符号２は大型車等に於ける後輪の多重輪部分に歯車を装着し、無限軌道走行装置を，装着した状態を表示
【手続補正書】
【提出日】平成24年1月24日(2012.1.24)
【手続補正１】
【補正対象書類名】実用新案登録請求の範囲
【補正対象項目名】全文
【補正方法】変更
【補正の内容】
【実用新案登録請求の範囲】
【請求項１】
前輪部分に橇を履かせ、後輪部分のタイヤホイ−ル部分に歯車を装着し、無限軌道走行装置を装着したことを特徴とする雪上走行用転用自動車。
【請求項２】
前輪部分と後輪部分に２分割し、其々に無限軌道走行装置を装着したことを特徴とする雪上走行用転用自動車。